(57)【要約】  デジタルコンテンツの入手意欲を高めることができるデジタルコンテンツ提供システムを実現する。デジタルコンテンツ提供システムは、デジタルコンテンツを紹介または推薦するための推薦用データを格納する推薦用データ格納部１３と、外部から入力したデジタルコンテンツに関するデータ及び推薦用データに基づいて、複数のデジタルコンテンツが棚に並べて表示され、かつ、少なくとも一部のデジタルコンテンツの推薦用データが表示された配架画像を生成する配架画像生成部１１と、配架画像生成部１１によって生成した配架画像を表示する提供端末（表示部）３０とを備える。デジタルコンテンツは、複数の店舗で提供可能であって、推薦用データは、店舗毎に作成される。
2017126494.tif 000002
【特許請求の範囲】
【請求項１】
店舗でデジタルコンテンツを提供するためのデジタルコンテンツ提供システムであって、
前記デジタルコンテンツを紹介または推薦するための推薦用データを格納する推薦用データ格納部と、
外部から入力した前記デジタルコンテンツに関するデータ及び前記推薦用データに基づいて、複数のデジタルコンテンツが棚に並べて表示され、かつ、少なくとも一部のデジタルコンテンツの推薦用データが表示された配架画像を生成する配架画像生成部と、
前記配架画像生成部によって生成した配架画像を表示する表示部と、
を備え、
前記デジタルコンテンツは、複数の店舗で提供可能であって、前記推薦用データは、店舗毎に作成される、デジタルコンテンツ提供システム。
【請求項２】
前記デジタルコンテンツの配架情報を入力する配架情報入力部を備え、
前記配架画像生成部は、前記配架情報に基づいて前記配架画像を生成する、請求項１に記載のデジタルコンテンツ提供システム。
【請求項３】
前記配架画像生成部は、外部から入力した配架情報に基づいて前記配架画像を生成する、請求項１に記載のデジタルコンテンツ提供システム。
【請求項４】
店舗で生成したローカル配架データを格納するローカル配架データ格納部を備え、
前記配架画像生成部は、前記ローカル配架データに基づいて前記配架画像を生成する、請求項１から３のいずれか一項に記載のデジタルコンテンツ提供システム。
【請求項５】
前記デジタルコンテンツは電子書籍であって、
前記配架画像生成部は、電子書籍の背表紙または表表紙が見えるように複数の電子書籍が棚に並べられた状態を示す配架画像を生成する、請求項１から４のいずれか一項に記載のデジタルコンテンツ提供システム。
【請求項６】
前記配架画像生成部は、複数の配架画像を生成し、
前記表示部は、前記複数の配架画像を切り替えて表示可能である、請求項１から５のいずれか一項に記載のデジタルコンテンツ提供システム。
【請求項７】
利用者が所定の範囲内にいるか判定する位置判定部と、
利用者が前記所定の範囲内にいると判定すると、利用者による前記デジタルコンテンツの試視聴を可能とする試視聴制御部と、
をさらに備える、請求項１から６のいずれか一項に記載のデジタルコンテンツ提供システム。
【請求項８】
利用者情報を取得する利用者情報取得部をさらに備え、
前記配架画像生成部は、前記利用者情報取得部によって取得された利用者情報に応じたデジタルコンテンツに関するデータを前記デジタルコンテンツ格納部から取得して、前記配架画像を生成する、請求項１から７のいずれか一項に記載のデジタルコンテンツ提供システム。
【発明の詳細な説明】
【技術分野】
【０００１】
本出願は、２０１６年１月１８日に出願された特願２０１６−７２３３に対して優先権の利益を主張するものであり、それを参照することにより、その内容の全てを本願に含める。【０００２】
以下の開示は、デジタルコンテンツを提供するシステムに関する。
【背景技術】
【０００３】
インターネットのサイトにおいて、電子書籍等、デジタルコンテンツを提供するシステムが知られている。特許文献１には、提供対象の物品の属性情報に応じた配置ルールに基づいて、提供対象の物品が配置された画像を生成して表示する情報提供装置が開示されている。これにより、例えば物品が電子書籍の場合に、電子書籍の発売日や関心度等に応じて、書店で紙の本が配置されているように、電子書籍を配置した画像を表示することができる。
【先行技術文献】
【特許文献】
【０００４】
【特許文献１】特開２００２−２１６０１４号公報
【発明の概要】
【発明が解決しようとする課題】
【０００５】
紙の本を提供する書店では、書店の店員が紹介したい本や推薦したい本のポップが置かれている。このようなポップは、客の入手意欲を高めることができる。しかしながら、特許文献１の情報提供装置では、予め決められた配置ルールに基づいて電子書籍が配置された画像が表示されるだけであり、客の入手意欲をそれほど高めることはできない。【０００６】
そこで、以下に開示する本発明の実施形態においては、デジタルコンテンツの入手意欲を高めることができるデジタルコンテンツ提供システムを提供することを目的とする。
【課題を解決するための手段】
【０００７】
本発明の一実施形態におけるデジタルコンテンツ提供システムは、店舗でデジタルコンテンツを提供するためのデジタルコンテンツ提供システムであって、前記デジタルコンテンツを紹介または推薦するための推薦用データを格納する推薦用データ格納部と、外部から入力した前記デジタルコンテンツに関するデータ及び前記推薦用データに基づいて、複数のデジタルコンテンツが棚に並べて表示され、かつ、少なくとも一部のデジタルコンテンツの推薦用データが表示された配架画像を生成する配架画像生成部と、前記配架画像生成部によって生成した配架画像を表示する表示部と、を備え、前記デジタルコンテンツは、複数の店舗で提供可能であって、前記推薦用データは、店舗毎に作成される。
【発明の効果】
【０００８】
本実施形態の開示によれば、利用者は、複数のデジタルコンテンツが棚に並べて表示され、かつ、少なくとも一部のデジタルコンテンツの推薦用データが表示された配架画像を見ながら、入手を希望するデジタルコンテンツを探すことができる。推薦用データは、店舗毎に作成されるため、店舗独自の推薦文等を読むことにより、そのデジタルコンテンツに対する店舗の熱意等を感じることができ、入手意欲が高められる。
【図面の簡単な説明】
【０００９】
【図１】図１は、第１の実施形態におけるデジタルコンテンツ提供システムの構成を示すブロック図である。
【図２】図２は、配架画像の一例を示す図である。
【図３】図３は、手書きのＰＯＰをスキャナで読み取って推薦用データを生成、または、ドローソフトを用いて推薦用データを生成し、生成した推薦用データを推薦用データサーバに保存する処理の流れを示す図である。
【図４Ａ】図４Ａは、予め用意された複数の配架画像のうちの一つの配架画像の一例を示す図である。
【図４Ｂ】図４Ｂは、予め用意された複数の配架画像のうちの別の一つの配架画像の一例を示す図である。
【図４Ｃ】図４Ｃは、予め用意された複数の配架画像のうちのさらに別の一つの配架画像の一例を示す図である。
【図４Ｄ】図４Ｄは、予め用意された複数の配架画像のうちのさらに別の一つの配架画像の一例を示す図である。
【図５】図５は、複数用意されている配架画像を提供端末のディスプレイに選択表示する方法を説明するための図である。
【図６】図６は、配架画像の切り替えを行うためのリモコンの一例を示す図である。
【図７】図７は、電子書籍の立ち読みができる空間的範囲を示す図である。
【図８】図８は、提供端末のディスプレイに表示される配架画像のうち、１つの電子書籍を示す図である。
【図９】図９は、第４の実施形態におけるデジタルコンテンツ提供システムの構成を示すブロック図である。
【図１０】図１０は、第５の実施形態における配架端末の構成を示す図である。
【図１１】図１１は、電子書籍の立ち読みを開始する前の配架画像と、電子書籍の立ち読みをしている最中の配架画像とを示す図である。
【図１２】図１２は、第７の実施形態におけるデジタルコンテンツ提供システム１００の構成を示すブロック図である。
【図１３Ａ】図１３Ａは、ある店舗の提供端末に表示される配架画像の一例を示す図である。
【図１３Ｂ】図１３Ｂは、別の店舗の提供端末に表示される配架画像の一例を示す図である。
【図１３Ｃ】図１３Ｃは、さらに別の店舗の提供端末に表示される配架画像の一例を示す図である。
【図１４】図１４は、店舗独自の配架ルールに基づいて生成された配架画像の別の例を示す図である。
【発明を実施するための形態】
【００１０】
本発明の一実施形態におけるデジタルコンテンツ提供システムは、店舗でデジタルコンテンツを提供するためのデジタルコンテンツ提供システムであって、前記デジタルコンテンツを紹介または推薦するための推薦用データを格納する推薦用データ格納部と、外部から入力した前記デジタルコンテンツに関するデータ及び前記推薦用データに基づいて、複数のデジタルコンテンツが棚に並べて表示され、かつ、少なくとも一部のデジタルコンテンツの推薦用データが表示された配架画像を生成する配架画像生成部と、前記配架画像生成部によって生成した配架画像を表示する表示部と、を備え、前記デジタルコンテンツは、複数の店舗で提供可能であって、前記推薦用データは、店舗毎に作成される（第１の構成）。
【００１１】
第１の構成によれば、利用者は、店舗毎に作成された推薦用データの推薦文等を読むことにより、そのデジタルコンテンツに対する店舗の熱意等を感じることができ、入手意欲が高められる。また、配架画像は、複数のデジタルコンテンツが棚に並べて表示され、かつ、少なくとも一部のデジタルコンテンツの推薦用データが表示された画像であるため、実際の書店で本を選んだり、実際のＣＤショップでＣＤを選ぶような感覚でデジタルコンテンツを選ぶことができるため、入手意欲が高められる。
【００１２】
第１の構成において、前記デジタルコンテンツの配架情報を入力する配架情報入力部を備え、前記配架画像生成部は、前記配架情報に基づいて前記配架画像を生成する構成としても良い（第２の構成）。
【００１３】
第２の構成によれば、電子書籍の店舗毎に、店舗独自の配架ルールを決定し、店舗毎に異なる配架を可能とする。これにより、電子書籍を提供する店舗毎に独自の配架を行うことができ、店舗の顧客吸引力を増すことができる。
【００１４】
第１の構成において、前記配架画像生成部は、外部から入力した配架情報に基づいて前記配架画像を生成する構成としても良い（第３の構成）。
【００１５】
第３の構成によれば、配架情報を店舗で用意することなく配架画像を生成することができる。
【００１６】
第１から第３のいずれかの構成において、店舗で生成したローカル配架データを格納するローカル配架データ格納部を備え、前記配架画像生成部は、前記ローカル配架データに基づいて前記配架画像を生成する構成としても良い（第４の構成）。
【００１７】
第４の構成によれば、配架データが存在しない知名度の低いデジタルコンテンツに関しても、店舗の店員が配架してお勧めすることが可能となる。これにより、店舗の独自性を出し、店舗の顧客吸引力を増すことができる。
【００１８】
第１から第４のいずれかの構成において、前記デジタルコンテンツは電子書籍であって、前記配架画像生成部は、電子書籍の背表紙または表表紙が見えるように複数の電子書籍が棚に並べられた状態を示す配架画像を生成するものであって、複数の電子書籍の並べ方は、店舗毎に決定される構成としても良い（第５の構成）。
【００１９】
第５の構成によれば、電子書籍の背表紙または表表紙が見えるように複数の電子書籍を棚に並べる並べ方を店舗毎に決定することができる。これにより、利用者は、例えば表表紙が見えるように表示された電子書籍は、その店舗のお勧めの電子書籍であると感じることができ、入手意欲が高められる。
【００２０】
第１から第５のいずれかの構成において、前記配架画像生成部は、複数の配架画像を生成し、前記表示部は、前記複数の配架画像を切り替えて表示可能な構成としても良い（第６の構成）。
【００２１】
第６の構成によれば、利用者は、多数のデジタルコンテンツを確認することができる。これにより、利用者の入手対象となるデジタルコンテンツの範囲を広げることができ、デジタルコンテンツの入手意欲をさらに高めることができる。
【００２２】
第１から第６のいずれかの構成において、利用者が所定の範囲内にいるか判定する位置判定部と、利用者が前記所定の範囲内にいると判定すると、利用者による前記デジタルコンテンツの試視聴を可能とする試視聴制御部と、をさらに備える構成としても良い（第７の構成）。
【００２３】
第７の構成によれば、利用者は、デジタルコンテンツを試視聴することができるため、内容を確認した上で入手できるという安心感から、入手意欲が高められる。また、利用者が所定の範囲内にいる場合にのみ、デジタルコンテンツの試視聴を可能とすることにより、利用者が入手していないデジタルコンテンツを家などで試聴されるのを防ぐことができる。これは、デジタルコンテンツが有償で提供されている場合に特に有用である。
【００２４】
第１から第７のいずれかの構成において、利用者情報を取得する利用者情報取得部をさらに備え、前記配架画像生成部は、前記利用者情報取得部によって取得された利用者情報に応じたデジタルコンテンツに関するデータを前記デジタルコンテンツ格納部から取得して、前記配架画像を生成する構成としても良い（第８の構成）。
【００２５】
第８の構成によれば、利用者情報に応じたデジタルコンテンツを利用者に紹介することができるので、デジタルコンテンツの入手意欲をさらに高めることができる。
【００２６】
［実施の形態］
以下、図面を参照し、本発明の実施の形態を詳しく説明する。図中同一または相当部分には同一符号を付してその説明は繰り返さない。なお、説明を分かりやすくするために、以下で参照する図面においては、構成が簡略化または模式化して示されたり、一部の構成部材が省略されたりしている。また、各図に示された構成部材間の寸法比は、必ずしも実際の寸法比を示すものではない。
【００２７】
［第１の実施形態］
図１は、第１の実施形態におけるデジタルコンテンツ提供システム１００の構成を示すブロック図である。本実施形態では、提供するデジタルコンテンツとして、電子書籍を例に挙げて説明する。
【００２８】
デジタルコンテンツ提供システム１００は、配架端末１０と、電子書籍提供サーバ２０と、提供端末（表示部）３０とを備える。
【００２９】
電子書籍提供サーバ２０は、例えば出版社によって所有される。配架データサーバ（デジタルコンテンツ格納部）２１と、広告用データサーバ２２と、提供データサーバ２３と、推奨配架情報サーバ２４とを備える。
【００３０】
配架データサーバ２１には、複数の電子書籍に関する各種データが格納されている。電子書籍に関する各種データには、電子書籍の表表紙の画像データ、背表紙の画像データ、対応する紙の本のサイズのデータ等が含まれる。本願ではこれらを配架データと呼ぶ。電子書籍の表表紙の画像及び背表紙の画像は、対応する紙の本の表表紙の画像及び背表紙の画像と同じである。ただし、電子書籍の表表紙の画像及び背表紙の画像が対応する紙の本の表表紙の画像及び背表紙の画像と異なっていても良い。配架データサーバ２１に格納されている電子書籍に関する各種データは、インターネット４０を介して、配架端末１０に送られる。
【００３１】
広告用データサーバ２２には、電子書籍の広告用データが複数格納されている。電子書籍の広告用データとは、例えば、その電子書籍に対応する本の帯（本のキャッチコピーや推薦文が書かれた紙）の画像データである。広告用データサーバ２２に格納されている電子書籍の広告用データは、インターネット４０を介して、配架端末１０に送られる。
【００３２】
提供データサーバ２３は、提供対象の電子書籍のデータが複数格納されている。利用者は、インターネット４０を介して、所望の電子書籍のデータを情報端末１にダウンロードすることによって、電子書籍を読むことができる。情報端末１は、例えばスマートフォンである。ただし、情報端末１がスマートフォンに限定されることはなく、電子書籍リーダー、タブレット端末、ノートパソコン等、電子書籍を読むことが可能な端末であれば良い。また、情報端末１は利用者が所有しているものであっても良いし、店舗側が用意したものであっても良い。
【００３３】
推奨配架情報サーバ２４には、推奨配架情報が格納されている。推奨配架情報は、複数の電子書籍を配架するためのルールを定めた情報である。
【００３４】
配架端末１０は、電子書籍を提供する店舗に設置されている。電子書籍を提供する店舗とは、インターネット上の仮想店舗ではなく、実店舗である。ここでは、電子書籍を提供する店舗が紙の本を提供する書店でもあるものとして説明する。以下、本明細書において「書店」とは、紙の本を提供する書店のことである。ただし、電子書籍を提供する店舗は、紙の本を提供せずに、電子書籍だけを提供する店であっても良い。提供する電子書籍は有償でも無償でも良い。配架端末１０は、配架画像生成部１１と、広告用データ格納部１２と、推薦用データ格納部１３とを備える。
【００３５】
広告用データ格納部１２には、電子書籍提供サーバ２０の広告用データサーバ２２から、インターネット４０を介して送られてくる広告用データが格納される。
【００３６】
推薦用データ格納部１３には、電子書籍の推薦用データが格納される。電子書籍の推薦用データは、電子書籍を利用者に勧めるための文章や画像等を含むデータである。この推薦用データは、書店の店員が本の紹介や推薦のために作成するＰＯＰ（ポップ）に対応するものであり、電子書籍を提供する店舗の店員によって作成される。電子書籍は複数の店舗で提供可能であり、電子書籍の推薦用データは、店舗毎に作成される。
【００３７】
配架画像生成部１１は、推奨配架情報サーバ２４に格納されている推奨配架情報、電子書籍提供サーバ２０の配架データサーバ２１から送られてくる電子書籍に関する各種データ、広告用データ格納部１２に格納されている電子書籍の広告用データ、及び、推薦用データ格納部１３に格納されている電子書籍の推薦用データに基づいて、配架画像を生成する。すなわち、配架画像生成部１１は、推奨配架情報に基づいて、複数の電子書籍を配架するとともに、電子書籍の広告用データ及び電子書籍の推薦用データを配置した配架画像を生成する。本実施形態では、配架画像は、複数の本が本棚に陳列されているような状態を示す画像である
【００３８】
提供端末３０は、電子書籍を提供するための端末であり、ディスプレイを備えている。このディスプレイは、タッチパネル付きのディスプレイである。配架画像生成部１１によって生成された配架画像は、提供端末３０のディスプレイに表示される。利用者は、提供端末３０のディスプレイに表示される配架画像を見ながら、所望の電子書籍を入手することができる。なお、提供端末３０と配架端末１０は一体となっていても良い。
【００３９】
図２は、配架画像４１の一例を示す図である。図２に示す配架画像４１では、上段と下段の２段の本棚に複数の電子書籍が並べられた状態が示されている。上段には、背表紙が見えるように複数の電子書籍が並べられた状態が示されている。上段にはまた、広告情報４５も表示されている。広告情報４５は、例えば電子書籍と関連する広告である。例えば、上段に示されている「○○物語」を原作とする映画が公開予定である場合に、その映画の広告情報が表示される。
【００４０】
図２に示す配架画像４１の下段には、表表紙が見えるように複数の電子書籍が並べられた状態が示されている。電子書籍に付随して、電子書籍の推薦用データ４２、４３や、広告用データ４４も表示されている。電子書籍の推薦用データ４２、４３は、任意の位置に表示することができる。例えば、図２に示すように、電子書籍と一部重なるように表示しても良いし、重ならないように表示しても良い。電子書籍の推薦用データは、配架画像中の全ての電子書籍に対応して表示する必要はなく、少なくとも一部の電子書籍に対応して表示されれば良い。
【００４１】
なお、図２に示す配架画像４１では、複数の電子書籍が２段の本棚に並べられている状態を示しているが、１段の本棚や３段以上の本棚に並べられている状態を示すものであっても良い。また、配架画像４１に表示する電子書籍の大きさは、対応する紙の本の大きさと同じであることが好ましい。ただし、配架画像４１に表示する電子書籍の大きさが対応する紙の本の大きさと同じである必要はなく、例えば所定の縮尺率で縮小または拡大した大きさであっても良い。この場合、配架画像生成部１１は、提供端末３０のディスプレイの大きさに応じて、表示する電子書籍の画像の大きさを調整する。
【００４２】
上述したように、推薦用データ４２、４３は、店舗の店員が独自に作成することができる。従って、同じ電子書籍であっても、店舗によって推薦用データは異なる。一方、広告用データ４４は、例えば出版社によって作成され、広告用データサーバ２２から送られてくるデータである。従って、同じ電子書籍であれば、異なる店舗の提供端末３０でも同じ広告用データが表示される。ただし、１つの電子書籍に対して複数の広告用データを広告用データサーバ２２に格納しておき、店舗側で任意の１つの広告用データを選んで、配架画像４１に表示させるようにしても良い。
【００４３】
電子書籍の推薦用データは、例えば店舗の店員が書店に置かれているような手書きのＰＯＰを作成し、そのＰＯＰをスキャナで読み込んで画像データとして作成したり、手書きのＰＯＰをカメラで撮影することによって、画像データとして作成することができる。配架画像４１に表示する推薦用データとして、手書きのＰＯＰに基づいた画像データを用いることにより、利用者は、その本に対する店員の熱意等を感じることができ、入手意欲が高められる。店舗の店員はまた、ドローソフト（グラフィックスソフト）を用いて推薦用データを作成して、推薦用データ格納部１３に保存するようにしても良い。
【００４４】
図３は、手書きのＰＯＰをスキャナ５１で読み取って推薦用データ（画像データ）を生成、または、ドローソフト５２を用いて推薦用データ（画像データ）を生成し、生成した推薦用データを推薦用データ格納部１３に保存する処理の流れを示している。
【００４５】
利用者は、提供端末３０に表示される配架画像を見ながら、例えば所望の電子書籍の画像をタッチすることによって、タッチした電子書籍のデータを情報端末１にダウンロードする。例えば、タッチした電子書籍のデータをダウンロードするための手続き画面を提供端末３０に表示し、所定の手続きが完了すると、提供データサーバ２３に格納されている電子書籍のデータを情報端末１にダウンロードさせる。なお、電子書籍のデータをダウンロードするための手続き画面を情報端末１に表示させるようにしても良い。
【００４６】
従来、インターネットを介した電子書籍の提供システムでは、利用者は、文字入力による検索や、本のジャンルに基づく検索によって、所望の電子書籍を見つけて入手していた。この方法では、利用者は、自身の検索した範囲や検索したジャンル内でしか、入手対象となる電子書籍を見つけることができない。
【００４７】
これに対して、本実施形態のデジタルコンテンツ提供システム１００によれば、利用者は、書店で本を探す感覚で、提供端末３０に表示される配架画像４１を見ながら、所望の電子書籍を探すことができる。特に、配架画像４１には、電子書籍の画像とともに、店舗の店員が独自に作成した推薦用データも表示されるため、利用者は、推薦用データ（電子書籍の推薦文）を参考にしながら、購読したいと思う電子書籍を見つけることができる。すなわち、従来のシステムと比べて、電子書籍の入手意欲を高めることができるとともに、利用者の入手対象となる電子書籍の範囲を広げることができる。また、利用者が店舗独自の推薦用データに魅力を感じてその店舗に足を運ぶ頻度が増すことが期待できる。すなわち店舗の顧客吸引力を増す事ができる。
【００４８】
［第２の実施形態］
第１の実施形態では、提供端末３０に表示される配架画像は１種類であった。第２の実施形態では、複数種類の配架画像を用意しておき、利用者の操作に基づいて、または、自動的に、提供端末３０に表示する配架画像を切り替える。
【００４９】
図４Ａ〜図４Ｄは、予め用意する複数の配架画像８１〜８４の一例を示す図である。配架画像８１〜８４において、「広告」と表示されているのは広告情報であり、「推薦」と表示されているのは、推薦用データである。また、「帯」と表示されているのは、紙の本の帯に対応する広告用データである。
【００５０】
配架画像生成部１１は、図４Ａ〜図４Ｄに示すように、複数の種類の配架画像８１〜８４を生成する。上述したように、電子書籍の推薦用データの内容は、店舗毎に決定することができる。なお、予め用意する配架画像の種類が４種類に限定されることはない。
【００５１】
図５は、複数用意されている配架画像を提供端末３０のディスプレイ３１に選択表示する方法を説明するための図である。図５に示すように、提供端末３０は、ディスプレイ３１と、操作ボタン３２〜３７を備えている。
【００５２】
図５に示す例では、予め４つの配架画像９１〜９４が用意されている。提供端末３０のディスプレイ３１には、選択できる配架画像を説明する画面が最初に表示される。図５に示す表示例において、「Ａ：お勧め１」、「Ｂ：お勧め２」、「Ｃ：○○シリーズ！」、「Ｄ：今月のテーマ：薔薇」は、配架画像の内容を説明するものであって、それぞれ表示可能な配架画像９１〜９４に対応している。
【００５３】
利用者は、操作ボタン３２〜３７を操作することにより、表示を希望する配架画像を選択する。操作ボタン３２〜３５はそれぞれ、「Ａ：お勧め１」、「Ｂ：お勧め２」、「Ｃ：○○シリーズ！」、「Ｄ：今月のテーマ：薔薇」に対応している。例えば、ボタン３２が押されると、「Ａ：お勧め１」に対応する配架画像９１がディスプレイ３１に表示される。
【００５４】
操作ボタン３６及び３７は、表示する配架画像を切り替えるためのボタンである。例えば、配架画像９１がディスプレイ３１に表示されている状態で操作ボタン３７が押されると、ディスプレイ３１に表示される配架画像が配架画像９１から配架画像９２に切り替わる。また、例えば配架画像９４がディスプレイ３１に表示されている状態で操作ボタン３７が押されると、ディスプレイ３１に表示される配架画像が配架画像９４から配架画像９１に切り替わる。
【００５５】
操作ボタン３６は、操作ボタン３７とは逆の方向に配架画像を切り替えるためのボタンである。例えば、配架画像９３がディスプレイ３１に表示されている状態で操作ボタン３６が押されると、ディスプレイ３１に表示される配架画像が配架画像９３から配架画像９２に切り替わる。
【００５６】
提供端末３０のディスプレイ３１に表示する配架画像の切り替えは、リモコンを用いて行うようにしても良い。図６は、配架画像の切り替えを行うためのリモコン１０１の一例を示す図である。リモコン１０１の操作ボタン１０２〜１０７は、図５に示す提供端末３０の操作ボタン３２〜３７にそれぞれ対応するものである。
【００５７】
提供端末３０のディスプレイ３１に表示する配架画像の切り替えを、スマートフォン等の情報端末１を用いて行うようにしても良い。例えば、情報端末１でインターネット上の所定のサイトにアクセスすることによって、図６のリモコン１０１のような画像を表示して、情報端末１をリモコン１０１として機能させる。この場合、情報端末１は、提供端末３０との間で、例えばＢｌｕｅｔｏｏｔｈ（登録商標）や赤外線等による無線通信を行う。
【００５８】
上述したように、提供端末３０のディスプレイ３１に表示する配架画像の切り替えを自動的に行うようにしても良い。例えば、所定時間毎に、複数の配架画像を切り替えて表示する。
【００５９】
本実施形態によれば、提供端末３０のディスプレイ３１に複数の配架画像を切り替えて表示することができるので、利用者は、多数の電子書籍を確認することができる。これにより、利用者の入手対象となる電子書籍の範囲をさらに広げることができ、電子書籍の入手意欲をさらに高めることができる。
【００６０】
［第３の実施形態］
書店では、利用者は、本を立ち読みすることができる。第３の実施形態におけるデジタルコンテンツ提供システムでは、利用者は、電子書籍を立ち読みすることができる。
【００６１】
電子書籍の立ち読みは、情報端末１を用いて行う。すなわち、利用者は、情報端末１から、インターネット４０を介して電子書籍提供サーバ２０の提供データサーバ２３にアクセスすることによって、興味のある電子書籍の一部または全部を立ち読みすることができる。ただし、利用者が電子書籍の立ち読みをできる空間的範囲（所定の範囲）を予め制限しておく。換言すると、利用者が所定の範囲内にいると判定した場合にのみ、電子書籍が格納されている提供データサーバ２３へのアクセスを許可する。
【００６２】
図７は、電子書籍の立ち読みができる空間的範囲の一例を示す図である。提供端末３０を含む空間を上から見た様子を示している。電子書籍の立ち読みができる空間的範囲１１５は、提供端末３０の近くであって、４つの空間構成デバイス１１１〜１１４によって定められた範囲である。情報端末１が空間構成デバイス１１１〜１１４で囲まれた空間的範囲１１５内にあれば、情報端末１を用いて電子書籍を立ち読みすることができる。一方、情報端末１が空間的範囲１１５の外にある場合には、情報端末１を用いて電子書籍を立ち読みすることはできない。
【００６３】
情報端末１が空間的範囲１１５内にあるか否かは、例えば情報端末１と４つの空間構成デバイス１１１〜１１４との間で無線通信を行うことによって判断することができる。提供データサーバ２３は、例えば、情報端末１が空間的範囲１１５内にあると判断された場合にのみ、電子書籍の立ち読みのために、情報端末１から、インターネット４０を介してのアクセスを許可する。この場合、提供データサーバ２３は、情報端末１が空間的範囲１１５内にあるか否かの情報を空間構成デバイス１１１〜１１４から取得しても良いし、情報端末１から取得しても良い。
【００６４】
電子書籍の立ち読みができる空間的範囲を別の方法により定めても良い。例えば、ＷｉＦｉ（登録商標）等の無線通信機器を設置しておき、この無線通信機器と無線通信可能な距離の範囲を、電子書籍の立ち読みができる空間的範囲としても良い。
【００６５】
また、電子書籍の立ち読みを時間的に制限するようにしても良い。例えば、立ち読みできる時間を所定の時間（例えば１０分）に制限し、所定の時間後には立ち読みできないようにする。この場合、同じ情報端末１からは、１回だけしか立ち読みできないようにする等の制限を設ける必要がある。
【００６６】
利用者は、例えば下記の（ａ）〜（ｃ）のうちのいずれかの方法を用いて、立ち読みする電子書籍を選択することができる。
（ａ）提供端末３０のディスプレイに表示されている配架画像から、所望の電子書籍をタッチする。
（ｂ）提供端末３０のディスプレイに表示されている配架画像において、電子書籍とともに表示されているＱＲコード（登録商標）を、情報端末１のカメラで読み取る。
（ｃ）提供端末３０のディスプレイに表示されている配架画像から、所望の電子書籍のタイトルを情報端末１のカメラで読み取る。
【００６７】
上記（ａ）の方法について、詳しく説明する。利用者は、予め提供端末３０と情報端末１との間で無線通信（例えば、ＷｉＦｉ（登録商標））による接続を確立させておく。利用者が配架画像に表示されている複数の電子書籍のうちの１つの電子書籍をタッチすると、情報端末１は、インターネット４０を介して、電子書籍提供サーバ２０の提供データサーバ２３にアクセスして、タッチした電子書籍の内容をディスプレイに表示する。この状態では、電子書籍のデータそのものは、情報端末１にダウンロードされていないので、例えば、利用者が家に帰って情報端末１を用いてその電子書籍を読むことはできない。
【００６８】
上記（ｂ）の方法について、詳しく説明する。図８は、提供端末３０のディスプレイに表示される配架画像のうち、１つの電子書籍を示す図である。図８では、「名探偵Ｘ」というタイトルの電子書籍の背表紙１２１が表示されており、その電子書籍の下の位置に、ＱＲコード（登録商標）１２２が表示されている。利用者が情報端末１のカメラでＱＲコード１２２を読み取ると、情報端末１は、インターネット４０を介して電子書籍提供サーバ２０の提供データサーバ２３にアクセスし、電子書籍の内容を情報端末１のディスプレイに表示する。
【００６９】
上記（ｃ）の方法について詳しく説明する。利用者は、情報端末１のカメラで、配架画像に表示されている複数の電子書籍の中から、所望の電子書籍のタイトルを撮影する。撮影されたタイトルは、情報端末１の文字認識機能によって文字認識される。情報端末１は、インターネット４０を介して電子書籍提供サーバ２０の提供データサーバ２３にアクセスし、文字認識したタイトルの電子書籍の内容を情報端末１のディスプレイに表示する。
【００７０】
上述した（ａ）〜（ｃ）の方法によれば、利用者は、立ち読みを希望する電子書籍を文字入力によって検索する必要がないので、気軽に立ち読みすることができる。利用者が立ち読みして気に入った電子書籍は、情報端末１を用いて所定の操作を行うことにより、入手できるようにしておく。
【００７１】
ここで、電子書籍の内容を情報端末１のディスプレイに表示するとともに、その電子書籍に対応した情報も合わせて表示するようにしても良い。電子書籍に対応した情報とは、例えば、その電子書籍の広告や関連する電子書籍の広告、その電子書籍の映画やＤＶＤの広告の情報である。また、店舗で紙の書籍も提供している場合には、立ち読みする電子書籍に対応する紙の本が置いてある場所を情報端末１に表示するようにしても良い。
【００７２】
［第４の実施形態］
上述した第１〜第３の実施形態では、配架画像を作成するための電子書籍の表表示の画像データや背表紙の画像データ等は、電子書籍提供サーバ２０側で生成されて、配架データサーバ２１に格納されていた。この場合、配架データサーバ２１に表表紙の画像等が格納されていない電子書籍については、配架画像に表示することができない。
【００７３】
第４の実施形態では、店舗側でも電子書籍の表表紙の画像データや背表紙の画像データ等を作成することができる。
【００７４】
図９は、第４の実施形態におけるデジタルコンテンツ提供システム１００の構成を示すブロック図である。配架端末１０は、配架画像生成部１１、広告用データ格納部１２、推薦用データ格納部１３に加えて、ローカル配架データ格納部１４をさらに備える。
【００７５】
店舗の店員は、配架データサーバ２１に格納されていない電子書籍の表表紙の画像データや背表紙の画像データ等、配架画像を生成するために必要な電子書籍の各種データを作成して、ローカル配架データ格納部１４に格納する。例えば、知名度の低い電子書籍に関する表表紙の画像データや背表紙の画像データ等は、電子書籍提供サーバ２０の配架データサーバ２１に格納されていない可能性がある。しかし、そのような書籍であっても、店舗の店員がお勧めしたいと思えば、その電子書籍の各種データを作成して、ローカル配架データ格納部１４に格納する。このように店舗で独自に作成した配架画像を生成するために必要な電子書籍の各種データをローカル配架データと呼ぶ。
【００７６】
配架画像生成部１１は、推奨配架情報サーバ２４に格納されている推奨配架情報、電子書籍提供サーバ２０の配架データサーバ２１に格納されている電子書籍の各種データ、ローカル配架データ格納部１４に格納されている電子書籍の各種データ、広告用データ格納部１２に格納されている電子書籍の広告用データ、及び、推薦用データ格納部１３に格納されている電子書籍の推薦用データに基づいて、配架画像を生成する。
【００７７】
本実施形態によれば、知名度が低い電子書籍や、あまり売れていない電子書籍等を配架画像上で紹介して提供することが容易になる。これにより、例えば、古書等の在庫が極端に少ない本の電子書籍や、厳重な保管が必要で実際には展示することができない貴重な本の電子書籍の提供が容易となる。町の小さい書店では、独自の本の品揃えによって利用者に人気がある店もあるが、本実施形態によれば、同様に、独自の品揃えの電子書籍を配架画像に表示することができる。
【００７８】
［第５の実施形態］
図１０は、第５の実施形態における配架端末１０の構成を示す図である。本実施形態における配架端末１０は、配架画像生成部１１、広告用データ格納部１２、推薦用データ格納部１３に加えて、利用者情報取得部１５を備える。
【００７９】
利用者情報取得部１５は、利用者情報を取得する。利用者情報とは、例えば、利用者の性別、年齢、書籍の好み、書籍の入手履歴等の情報である。利用者情報取得部１５は、例えばカメラと顔認識装置（顔認識ソフト）から構成される。この場合、カメラによって利用者の顔を撮影し、顔認識装置によって、利用者の性別や年代を判別する。年代は、細かく判定しても良いし、大人か子供を判定するだけでも良い。この場合、カメラは、提供端末３０の近くに設置する。
【００８０】
配架画像生成部１１は、利用者情報取得部１５によって取得した利用者情報に基づいて、その利用者にお勧めする電子書籍を抽出し、抽出した電子書籍の画像を含む配架画像を生成する。例えば、利用者が２０代の女性と判定すると、２０代の女性向けの電子書籍を抽出し、利用者が大人の男性と判定すると、大人の男性向けの電子書籍を抽出する。利用者情報に基づいてお勧めする電子書籍のデータは、店舗毎に設定することができる。これにより、利用者情報に基づいて、その利用者に適した電子書籍を紹介することができる。
【００８１】
なお、利用者情報取得部１５は、カメラと顔認識装置以外の構成であっても良い。例えば、利用者情報取得部１５は、カードリーダであっても良い。すなわち、予め利用者情報を登録した利用者にメンバーカードを渡しておき、そのメンバーカードをカードリーダで読み取ることによって、利用者情報を取得する。
【００８２】
また、提供端末３０に、利用者情報を入力するための画面を表示して、利用者に性別や年代、書籍の好み等の情報を入力させるようにしても良い。
【００８３】
なお、本実施形態において配架画像生成部１１は、利用者情報取得部１５によって取得した利用者情報に基づいて、その利用者にお勧めする電子書籍を抽出して配架画像を生成するため、電子書籍提供サーバ２０は、推奨配架情報サーバ２４を備えていなくても良い。
【００８４】
［第６の実施形態］
第３の実施形態では、利用者は、情報端末１を用いて電子書籍を立ち読みすることができた。第６の実施形態では、利用者は、提供端末３０を用いて電子書籍を立ち読みすることができる。
【００８５】
図１１は、電子書籍の立ち読みを開始する前の配架画像１３１と、電子書籍の立ち読みをしている最中の配架画像１３２とを示す図である。配架画像１３１及び１３２において、「広告」と表示されているのは広告情報であり、「推薦」と表示されているのは、推薦用データである。また、「帯」と表示されているのは、紙の本の帯に対応する広告用データである。
【００８６】
電子書籍の立ち読みを開始する前の配架画像１３１では、電子書籍１３３は、表表紙が見える状態で表示されている。この状態で、利用者が配架画像１３１中の電子書籍１３３をタッチすると、配架画像１３２に示すように、電子書籍１３３が開かれた状態で表示される。この場合、例えば、立ち読みする電子書籍と同じ段に表示されていた他の電子書籍は、立ち読み中は表示しないようにしても良い。
【００８７】
例えば、配架画像において、紙の本と同じ実物大の大きさの電子書籍を表示している場合、利用者は、実物大の大きさの電子書籍を立ち読みすることができる。この場合でも、利用者は、提供端末３０が置いてある場所でしか電子書籍を立ち読みすることができない。すなわち、提供端末３０を触ることができる所定の範囲内でのみ、電子書籍の立ち読みが許可される。この場合、提供端末３０を用いて電子書籍を立ち読みするための所定の操作が行われると、利用者が所定の範囲内にいると判定することができる。
【００８８】
［第７の実施形態］
上述した第１の実施形態等では、電子書籍提供サーバ２０の推奨配架情報サーバ２４に推奨配架情報が格納されており、配架端末１０の配架画像生成部１１は、推奨配架情報サーバ２４に格納されている推奨配架情報に基づいて、配架画像を生成する。このため、この推奨配架情報に基づく電子書籍の配架は、店舗毎に同じである。第７の実施形態では、電子書籍の店舗毎に、店舗独自の配架ルールを決定し、店舗毎に異なる配架を可能とする。
【００８９】
図１２は、第７の実施形態におけるデジタルコンテンツ提供システム１００の構成を示すブロック図である。第７の実施形態におけるデジタルコンテンツ提供システム１００では、電子書籍提供サーバ２０は、推奨配架情報サーバ２４を備えておらず、代わりに、配架端末１０が配架情報入力部１６を備えている。
【００９０】
配架情報入力部１６は、電子書籍を提供する店舗の店員が電子書籍の配架情報を入力するための機器であって、例えば、パソコンのキーボードやマウスである。配架情報とは、どの電子書籍をどのように並べて表示するかを示す情報（配架ルール）である。電子書籍を提供する店舗の店員は、どの電子書籍をどのように並べて表示するかを決定し、配架情報入力部１６を用いて配架情報を入力する。
【００９１】
配架画像生成部１１は、配架情報入力部１６によって入力された配架情報、電子書籍提供サーバ２０の配架データサーバ２１から送られてくる電子書籍に関する各種データ、広告用データ格納部１２に格納されている電子書籍の広告用データ、及び、推薦用データ格納部１３に格納されている電子書籍の推薦用データに基づいて、配架画像を生成する。
【００９２】
紙の本を提供する書店では、書店の店員が紹介したい本や推薦したい本が利用者の目につきやすい位置に配置されている。どのような本を推薦するかにも各書店の独自性が表れており、それが顧客吸引力にもなる。特許文献１の情報提供装置では、予め決められた配置ルールに基づいて電子書籍が配置された画像が表示されるだけであり、各店舗独自の配架を行うことができない。しかしながら、本実施形態におけるデジタルコンテンツ提供システムによれば、電子書籍を提供する店舗毎に独自の配架を行うことができ、店舗の顧客吸引力を増すことができる。
【００９３】
図１３Ａ〜図１３Ｃは、提供端末３０に表示される配架画像が店舗毎に異なることを説明するための図である。図１３Ａは、店舗Ａの提供端末３０に表示される配架画像１４０Ａであり、図１３Ｂは、店舗Ｂの提供端末３０に表示される配架画像１４０Ｂであり、図１３Ｃは、店舗Ｃの提供端末３０に表示される配架画像１４０Ｃである。図１３Ａ〜図１３Ｃに示す配架画像１４０Ａ〜１４０Ｃはいずれも、上段と下段の２段の本棚に複数の電子書籍が並べられた状態が示されている。
【００９４】
図１３Ａに示す配架画像１４０Ａでは、上段に、背表紙が見えるように複数の電子書籍が並べられた状態の画像１４１とともに、「広告Ａ」の広告情報１４２が表示されている。下段には、表表紙が見えるように複数の電子書籍が並べられた状態が示されており、電子書籍に付随して、電子書籍の推薦用データ１４３、１４４や、広告用データ１４５も表示されている。
【００９５】
図１３Ｂに示す配架画像１４０Ｂでは、上段及び下段の両方に、表表紙が見えるように複数の電子書籍が並べられた状態が示されている。上段には、「広告Ｂ」、「広告Ｃ」、「広告Ｄ」の広告情報１４９〜１５１も表示されている。
【００９６】
図１３Ｃに示す配架画像１４０Ｃでは、上段及び下段の両方に、背表紙が見えるように複数の電子書籍が並べられた状態の画像１５２が表示されている。図１３Ｃでは、「探偵シリーズ」という特集で、探偵に関する電子書籍ばかりが表示されている。
【００９７】
店舗Ａの配架画像１４０Ａと店舗Ｂの配架画像１４０Ｂには共に、「名探偵Ｘ」というタイトルの電子書籍が表示されているが、その電子書籍に付随する推薦用データは異なる。すなわち、配架画像１４０Ａでは、「衝撃のラスト！」という文章の推薦用データ１４３が表示されており、配架画像１４０Ｂでは、「まさかの結末！」という文章の推薦用データ１４７が表示されている。このように、同じ電子書籍に対して、店舗毎に、独自の推薦文や画像を推薦用データとして表示することができる。
【００９８】
また、配架画像に表示する電子書籍の配置位置や表示方法も店舗が決めることができる。例えば、「名探偵Ｘ」というタイトルの電子書籍について、店舗Ａの配架画像１４０Ａと店舗Ｂの配架画像１４０Ｂでは、表表紙が見えるように配置されているが、店舗Ｃの配架画像１４０Ｃでは、背表紙が見えるように配置されている。また、店舗Ａの配架画像１４０Ａでは、「名探偵Ｘ」のタイトルの電子書籍は、下段の一番左に配置されているが、店舗Ｂの配架画像１４０Ｂでは、下段の中央の位置に配置されている。
【００９９】
図１４は、店舗独自の配架ルールに基づいて生成された配架画像の別の例を示す図である。図１４に示す配架画像１６０では、「今月のテーマ：薔薇」の文字とともに、薔薇に関する電子書籍が複数表示されている。この配架画像１６０では、上段、中段、下段の３段の本棚に複数の電子書籍が並べられた状態が示されており、例えば、上段には薔薇に関する小説が配置されている。また、中段や下段には、小説以外のジャンルの電子書籍として、図鑑や写真集等の電子書籍が表示されている。
【０１００】
このように、あるテーマに注目して電子書籍を表示する場合には、ジャンルにとらわれない柔軟な陳列が可能となる。
【０１０１】
なお、本実施形態のデジタルコンテンツ提供システム１００は推薦用データ格納部１３を備えているが、推薦用データ格納部１３を備えない実施形態も考えられる。その場合は、店舗独自の推薦用データを表示することはできないが、店舗独自の配架を行うことはできる。
【０１０２】
以上、上述した実施の形態は本発明を実施するための例示に過ぎない。よって、本発明は上述した実施の形態に限定されることなく、その趣旨を逸脱しない範囲内で上述した実施の形態を適宜変形して実施することが可能である。
【０１０３】
例えば、提供するデジタルコンテンツとして、電子書籍を例に挙げて説明したが、デジタルコンテンツが電子書籍に限定されることはない。例えば、提供するデジタルコンテンツが音楽データや映像データ等でも良い。デジタルコンテンツが音楽データの場合、例えば、複数のＣＤが棚に並べて表示されている画像を配架画像として生成することができる。また、デジタルコンテンツが映像データの場合、例えば、複数のＤＶＤやブルーレイディスクが棚に並べて表示されている画像を配架画像として生成することができる。これらの場合でも、店舗毎に、独自の推薦用データを作成し、ＣＤやＤＶＤ等の複数のデジタルコンテンツが棚に並べて表示され、かつ、推薦用データが表示された配架画像を生成して表示する。上述した第３及び第６の実施形態では、利用者は、所定の範囲内で電子書籍を立ち読みすることができたが、同様に、利用者が所定の範囲内にいる場合に、ＣＤを試聴したり、ＤＶＤやブルーレイディスクの映像を試視聴できるようにしても良い。この場合、利用者は、情報端末１により、インターネットを介して音楽データ及び／又は映像データが格納されているサーバにアクセスして、音楽データを試聴したり、映像データを試視聴することができる。この状態では、音楽データや映像データを情報端末１にダウンロードしていないので、購入されていない音楽データや映像データが持ち出されることはない。
【０１０４】
電子書籍を提供する店舗が紙の本を提供する書店でもある場合、提供端末３０のディスプレイに、配架画像中の電子書籍に対応する紙の本が置いてある場所を表示するようにしても良い。また、紙の本が品切れ中の場合には、その旨を提供端末３０のディスプレイに表示するとともに、郵送の手配を行うための画面を表示するようにしても良い。
【０１０５】
また、上記実施形態（変形例を含む）は適宜組み合わせても良い。例えば、第７の実施形態と第３の実施形態あるいは第６の実施形態を組み合わせて、店舗独自の配架を行いながら、立読みも行う事ができるデジタルコンテンツ提供システムとしても良い。また例えば、第７の実施形態と第２の実施形態を組み合わせて、店舗独自の配架を複数種類用意しても良い。
【０１０６】
上記実施形態（変形例を含む）で説明したデジタルコンテンツ提供システムにおいて、各ブロックは、ＬＳＩなどの半導体装置により個別に１チップ化されても良いし、一部又は全部を含むように１チップ化されても良い。
【０１０７】
なお、ここでは、ＬＳＩとしたが、集積度の違いにより、ＩＣ、システムＬＳＩ、スーパーＬＳＩ、ウルトラＬＳＩと呼称されることもある。
【０１０８】
また、集積回路化の手法はＬＳＩに限るものではなく、専用回路又は汎用プロセッサで実現してもよい。ＬＳＩ製造後に、プログラムすることが可能なＦＰＧＡ（Ｆｉｅｌｄ  Ｐｒｏｇｒａｍｍａｂｌｅ  Ｇａｔｅ  Ａｒｒａｙ）や、ＬＳＩ内部の回路セルの接続や設定を再構成可能なリコンフィギュラブル・プロセッサーを利用しても良い。
【０１０９】
さらには、半導体技術の進歩又は派生する別技術によりＬＳＩに置き換わる集積回路化の技術が登場すれば、当然、その技術を用いて機能ブロックの集積化を行ってもよい。バイオ技術の適用等が可能性としてあり得る。
【０１１０】
また、上記各実施形態の各機能ブロックの処理の一部または全部は、プログラムにより実現されるものであってもよい。そして、上記各実施形態の各機能ブロックの処理の一部または全部は、コンピュータにおいて、中央演算装置（ＣＰＵ）、マイクロプロセッサ、プロセッサ等により行われる。それぞれの処理を行うためのプログラムは、ハードディスク、ＲＯＭなどの記憶装置に格納されており、ＲＯＭにおいて、あるいはＲＡＭに読み出されて実行される。記憶装置（記憶媒体）は、一時的でない有形のものであり、例えば、テープ、ディスク、カード、半導体メモリ、プログラマブルな論理回路などを用いることができる。
【０１１１】
また、上記実施形態の各処理をハードウェアにより実現してもよいし、ソフトウェア（ＯＳ（オペレーティングシステム）、ミドルウェア、あるいは、所定のライブラリとともに実現される場合を含む。）により実現してもよい。さらに、ソフトウェアおよびハードウェアの混在処理により実現しても良い。なお、上記実施形態に係るデジタルコンテンツ提供システムをハードウェアにより実現する場合、各処理を行うためのタイミング調整を行う必要があるのは言うまでもない。上記実施形態においては、説明便宜のため、実際のハードウェア設計で生じる各種信号のタイミング調整の詳細については省略している。
【符号の説明】
【０１１２】
１…情報端末、１０…配架端末、１１…配架画像生成部、１２…広告用データ格納部、１３…推薦用データ格納部、１５…利用者情報取得部、２０…電子書籍提供サーバ、２１…配架データサーバ、２２…広告用データサーバ、２３…提供データサーバ、３０…提供端末
【図１】
2017126494.tif 000003
【図２】
2017126494.tif 000004
【図３】
2017126494.tif 000005
【図４Ａ】
2017126494.tif 000006
【図４Ｂ】
2017126494.tif 000007
【図４Ｃ】
2017126494.tif 000008
【図４Ｄ】
2017126494.tif 000009
【図５】
2017126494.tif 000010
【図６】
2017126494.tif 000011
【図７】
2017126494.tif 000012
【図８】
2017126494.tif 000013
【図９】
2017126494.tif 000014
【図１０】
2017126494.tif 000015
【図１１】
2017126494.tif 000016
【図１２】
2017126494.tif 000017
【図１３Ａ】
2017126494.tif 000018
【図１３Ｂ】
2017126494.tif 000019
【図１３Ｃ】
2017126494.tif 000020
【図１４】
2017126494.tif 000021
【国際調査報告】
2017126494.tif 000022
2017126494.tif 000023
2017126494.tif 000024
2017126494.tif 000025